(57)【要約】【課題】撮像の対象物のタグ情報と、撮像画像の画像情報とを簡便かつ正確に対応付けて記録可能な撮像装置を提供する。【解決手段】本発明の撮像装置（１０）は、対象物（２０）を撮像する撮像部（１１）と、撮像部（１１）によって撮像された対象物（２０）を表示する表示部（１２）と、ＩＣタグ（２０ａ，２１ａ，２２ａ）のタグ情報（２０ｂ，２１ｂ，２２ｂ）を検出して取得するタグ情報取得部（１５）と、タグ情報取得部（１５）で取得されたタグ情報（２０ｂ，２１ｂ，２２ｂ）を表示部（１２）に表示する表示制御部（１７）と、表示部（１２）に表示されたタグ情報（２０ｂ，２１ｂ，２２ｂ）のうちの任意のタグ情報（２０ｂ）を選択可能な選択部（１８）と、選択部（１８）によって選択されたタグ情報（２０ｂ，２１ｂ，２２ｂ）を、表示部（１２）に表示された対象物（２０）の画像情報に付加して記録する記録部（１３）と、を備えることを特徴とする。【選択図】図１
2010193172.tif 000002
【特許請求の範囲】
【請求項１】
対象物を撮像する撮像部と、
前記撮像部によって撮像された前記対象物を表示する表示部と、
ＩＣタグのタグ情報を検出して取得するタグ情報取得部と、
前記タグ情報取得部で取得された前記タグ情報を前記表示部に表示する表示制御部と、
前記表示部に表示された前記タグ情報のうちの任意のタグ情報を選択可能な選択部と、
前記選択部によって選択された前記タグ情報を、前記表示部に表示された前記対象物の画像情報に付加して記録する記録部と、
を備えることを特徴とする撮像装置。
【請求項２】
請求項１に記載の撮像装置であって、
前記表示制御部は、前記タグ情報取得部で取得された前記タグ情報を、前記対象物と対応している可能性の高いものから優先的に前記表示部に表示すること、
を特徴とする撮像装置。
【請求項３】
請求項２に記載の撮像装置であって、
前記表示制御部は、
検出される前記タグ情報の信号強度が強いほど、前記対象物に対応する可能性が高いものであると判定すること、
を特徴とする撮像装置。
【請求項４】
請求項１から３までのいずれか１項に記載の撮像装置であって、
前記対象物の画像情報に付加される前記タグ情報は、Ｅｘｉｆ形式のファイルであること、
を特徴とする撮像装置。
【発明の詳細な説明】
【技術分野】
【０００１】
本発明は、ＩＣタグのタグ情報と撮像の対象物の画像情報とを対応付けて記録可能な撮像装置に関するものである。
【背景技術】
【０００２】
従来、撮像の対象物に取り付けられたＩＣタグから無線送信される情報を非接触で読み取り、撮像画像とその情報とを対応付けて記憶可能な撮像装置が提案されている（例えば、特許文献１参照）。この撮像装置において、撮像画像の画像情報とＩＣタグからの情報と対応付けは、対象物までの距離情報と、ＩＣタグから送信される信号の強度情報とに基づいて行われている。
【先行技術文献】
【特許文献】
【０００３】
【特許文献１】特開２００５−３４８０２８号公報
【発明の概要】
【発明が解決しようとする課題】
【０００４】
しかし、特許文献１に係る撮像装置は、対象物までの距離情報とＩＣタグからの信号の強度情報とに基づき、対象物とＩＣタグの情報とを自動的に対応付けるように構成されている。このため、例えばＩＣタグを有する物体が対象物と等距離に複数ある場合には、複数の信号情報が取得され、制御処理が複雑になるとともに、正確な対応付けが難しい。
【０００５】
本発明の課題は、撮像対象物のタグ情報と、撮像画像の画像情報とを簡便かつ正確に対応付けて記録可能な撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、対象物（２０）を撮像する撮像部（１１）と、前記撮像部（１１）によって撮像された前記対象物（２０）を表示する表示部（１２）と、ＩＣタグ（２０ａ，２１ａ，２２ａ）のタグ情報（２０ｂ，２１ｂ，２２ｂ）を検出して取得するタグ情報取得部（１５）と、前記タグ情報取得部（１５）で取得された前記タグ情報（２０ｂ，２１ｂ，２２ｂ）を前記表示部（１２）に表示する表示制御部（１７）と、前記表示部（１２）に表示された前記タグ情報（２０ｂ，２１ｂ，２２ｂ）のうちの任意のタグ情報（２０ｂ）を選択可能な選択部（１８）と、前記選択部（１８）によって選択された前記タグ情報（２０ｂ，２１ｂ，２２ｂ）を、前記表示部（１２）に表示された前記対象物（２０）の画像情報に付加して記録する記録部（１３）と、を備えることを特徴とする撮像装置（１０）である。
請求項２に記載の発明は、請求項１に記載の撮像装置（１０）であって、前記表示制御部（１７）は、前記タグ情報取得部（１５）で取得された前記タグ情報（２０ｂ，２１ｂ，２２ｂ）を、前記対象物（２０）と対応している可能性の高いものから優先的に前記表示部（１２）に表示すること、を特徴とする撮像装置（１０）である。
請求項３に記載の発明は、請求項２に記載の撮像装置（１０）であって、前記表示制御部（１７）は、検出される前記タグ情報（２０ｂ，２１ｂ，２２ｂ）の信号強度が強いほど、前記対象物（２０）に対応する可能性が高いものであると判定すること、を特徴とする撮像装置（１０）である。
請求項４に記載の発明は、請求項１から３までのいずれか１項に記載の撮像装置（１０）であって、前記対象物（２０）の画像情報に付加される前記タグ情報（２０ｂ，２１ｂ，２２ｂ）は、Ｅｘｉｆ形式のファイルであること、を特徴とする撮像装置（１０）である。
なお、符号を付して説明した構成は、適宜改良してもよく、また、少なくとも一部を他の構成物に代替してもよい。
【発明の効果】
【０００８】
本発明によれば、撮像の対象物のタグ情報と、撮像画像の画像情報とを簡便かつ正確に対応付けて記録可能な撮像装置を提供することができる。
【図面の簡単な説明】
【０００９】
【図１】実施形態のカメラを含む説明図である。
【図２】実施形態のカメラにおける表示部の表示例を示す図である。
【図３】実施形態のカメラの制御動作を示すフローチャートである。
【発明を実施するための形態】
【００１０】
以下、図面等を参照して、本発明の一実施形態のカメラ１０について説明する。図１は、カメラ１０のブロック図を含む、本発明の一実施形態を説明する図である。図中、撮影者が主要被写体としてカメラ１０で撮影しようとしているものが対象物２０である。また、対象物２０の周囲には主要被写体以外の非対象物２１，２２も存在する。なお、便宜上、対象物を１つ、非対象物を２つで説明するが、対象物及び／又は非対象物は、これ以外の個数であってもよい。
【００１１】
対象物２０及び非対象物２１，２２には、それぞれＩＣタグ２０ａ，２１ａ，２２ａが取り付けられている。なお、本明細書においてＩＣタグとは、「ＲＦ−ＩＤ（Ｒａｄｉｏ  ｆｒｅｑｕｅｎｃｙ  ｉｄｅｎｔｉｆｉｃａｔｉｏｎ）」、「非接触ＩＣチップ」、「ＩＤタグ」、「無線タグ」、「非接触タグ」等を含む。
【００１２】
また、ＩＣタグには、いわゆるパッシッブ型とアクティブ型といった種類がある。パッシブ型ＩＣタグとは、外部機器からのアンテナから発信される電波で電磁誘導を起こす等して動作可能であるため電池を内蔵していないＩＣタグである。一方、アクティブ型ＩＣタグとは、電池を内蔵し、電波による電磁誘導なしに動作可能なＩＣタグである。本実施形態では、パッシブ型のＩＣタグを使用する例について説明するが、これに限らず、アクティブ型のＩＣタグを使用してもよい。
【００１３】
ＩＣタグ２０ａ，２１ａ，２２ａは、トランジスタ、抵抗、コンデンサ等の素子が基板の上に配置され、タグ情報２０ｂ，２１ｂ，２２ｂの記憶が可能なＩＣチップと、無線によりタグ情報２０ｂ，２１ｂ，２２ｂを送受信するためのアンテナとが一体となったものである。ＩＣタグ２０ａには、対象物２０に関するタグ情報２０ｂが記憶されている。ＩＣタグ２１ａ，２２ａには、非対象物２１，２２に関するタグ情報２１ｂ，２２ｂが記憶されている。これらのタグ情報２０ｂ，２１ｂ，２２ｂとしては、例えば、物品名、価格、物品の性状、ＵＲＬ等のホームページのアドレスを特定できる情報等が含まれる。
【００１４】
カメラ１０は、撮像部１１と、表示部１２と、記録部１３と、操作部１４と、タグ情報取得部１５と、タグ情報解読部１６と、ＣＰＵ１７と、を備える。
【００１５】
撮像部１１は、撮像素子と、信号処理部を含む。撮像素子は。図示しない撮影レンズが結像する被写体像を光電変換する例えばＣＣＤ（Ｃｈａｒｇｅ  Ｃｏｕｐｌｅｄ  Ｄｅｖｉｃｅ  Ｉｍａｇｅ  Ｓｅｎｓｏｒ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子である。信号処理部は、撮像素子の光電変換出力に種々の処理を施して画像データを生成する。記録部１３は、対象物２０の画像や後述する選択部１８によって選択されたタグ情報等を内部メモリやメモリカード等の記録媒体に記録する部分である。
【００１６】
表示部１２は、カメラ１０の背面に設けられた例えば液晶モニタである。図２は後に詳述するが、カメラ１０の背面の概略図である。表示部１２は、各種設定を行うメニュー画面、撮影後の画像等を表示可能である。また、表示部１２は、タグ情報解読部１６によって解読されたタグ情報２０ｂ，２１ｂ，２２ｂも表示可能であり、図２は撮影後の画像の右側にタグ情報２０ｂ，２１ｂ，２２ｂが表示された例を示す。
【００１７】
図１に示す操作部１４は、レリーズボタン、電源ボタン、表示ボタン、メニュー／決定ボタン、モードスイッチ、ズームボタン、ストロボスイッチ等を含み、更に選択部１８も含む。本実施形態で選択部１８は、図２に示す上下左右を選択可能な選択キー１８ａ，１８ｂ，１８ｃ，１８ｄ及び決定キー１８ｅを含む十字キーである。選択キー１８ａ，１８ｂ，１８ｃ，１８ｄは、表示部１２に表示されているタグ情報２０ｂ，２１ｂ，２２ｂのうちの任意のタグ情報にカーソルを移動可能である。なお、カーソルとは本実施形態においてタグ情報２０ｂ，２１ｂ，２２ｂのうちの一つの色を反転させて点滅させる表示をいう。ただし、これに限定されず、いずれのタグ情報２０ｂ，２１ｂ，２２ｂが選択されているかを判別できれば、選択されているタグ情報の輝度を高くしたりする等、他の表示であってもよい。
【００１８】
タグ情報取得部１５及びタグ情報解読部１６は、いわゆるＩＣタグリーダとして機能する。タグ情報取得部１５はアンテナを含み、ＩＣタグ２０ａ，２１ａ，２２ａから発信された電波情報を受信する。そして、ＩＣタグ２０ａ，２１ａ，２２ａのタグ情報２０ｂ，２１ｂ，２２ｂを検出して取得する。このアンテナは、カメラ１０の筐体の適宜位置に、例えば伸縮自在に設けられている。タグ情報取得部１５によって取得されたタグ情報２０ｂ，２１ｂ，２２ｂは、タグ情報解読部１６に出力される。
【００１９】
タグ情報解読部１６は、タグ情報取得部１５によって取得されたタグ情報２０ｂ，２１ｂ，２２ｂを解読する部分である。タグ情報解読部１６は、取得されたタグ情報２０ｂ，２１ｂ，２２ｂの内容とともに、これらの信号強度も解読する。タグ情報解読部１６によって解読されたタグ情報２０ｂ，２１ｂ，２２ｂ及び信号強度は、ＣＰＵ１７に出力される。
【００２０】
ＣＰＵ１７は、カメラ１０の各構成要素の動作を制御し、所定のＯＳ（Ｏｐｅｒａｔｉｎｇ  Ｓｙｓｔｅｍ）の制御下で、各機能を実行する制御装置である。すなわち、ＣＰＵ１７は、カメラ１０としての基本動作モードを実行するほか、対象物２０のタグ情報２０ｂを撮影画像に対応付けて記録するモード（以下、タグ情報記録モードと称する）を実行する。ＣＰＵ１７には、上述した撮像部１１、表示部１２、記録部１３、操作部１４、タグ情報解読部１６、選択部１８が接続されている。
【００２１】
また、ＣＰＵ１７は、ＲＯＭ及びＲＡＭ等からなる各種情報を記憶する記憶部も有する。ＲＯＭには、ＣＰＵ１７が実行する各種プログラム（後述の図２に示すプログラムを含む）や制御に必要な各種データが格納されている。また、ＲＡＭは、ＣＰＵ１７が各種制御処理を行う際の作業エリアとして使用される。
【００２２】
次に、図３を参照して、本実施形態に係るカメラ１０における制御動作を詳細に説明する。図３は、カメラ１０の制御動作を示すフローチャートである。以下の制御は、カメラ１０において撮像が行われた後にＣＰＵ１７によって実行される。
【００２３】
まず、ＣＰＵ１７は、カメラ１０においてタグ情報記録モードが選択されているかを判断する（ステップ１０）。タグ情報記録モードとは、タグ情報を表示部１２に表示し、撮像画像とタグ情報とを関連付けて記録可能なモードであり、撮像前におけるカメラ１０の操作により使用者が選択できるようになっている。
【００２４】
ＣＰＵ１７は、タグ情報記録モードが選択されていると判断した場合（ステップ１０，Ｙｅｓ）、ステップ１１に移行する。ステップ１１でＣＰＵ１７は、タグ情報取得部１５によって取得されたタグ情報を、撮像画像とともに表示する。
【００２５】
図３にその表示例を示す。図示するように表示部１２には、撮影された画像である対象物２０（図中りんご）、非対象物２２（図中みかん）及び非対象物２１（図中バナナ）が表示されている。また表示部１２の右側には対象物２０のタグ情報２０ｂ（青森産りんご）、及び非対象物２１のタグ情報２１ｂ（フィリピン産バナナ）、非対象物２２のタグ情報２２ｂ（静岡産みかん）のタグ情報が表示されている。
【００２６】
ここで、ＣＰＵ１７は、タグ情報解読部１６からの出力に基づき、タグ情報２０ｂ，２１ｂ，２２ｂにおいて信号強度が強いものほど、対象物２０に対応する可能性が高いものであると判断し、表示部１２右側において上になるように表示する。図３に示す場合、最も前に位置するのは非対象物２１（バナナ）である。したがって、このタグ情報２１ｂが優先的に表示、すなわち図３において表示部１２の右側の最上部に表示されている。ＣＰＵ１７においては、ステップ１１の時点では、この優先されたタグ情報２１ｂと画像とが関連付けられ、最上部のタグ情報２１ｂ（フィリピン産バナナ）にカーソルが存在する。
【００２７】
なお、表示部１２に表示すべきタグ情報の上限数は、表示部１２の表示能力及び１つ当たりのタグ情報の情報量に応じて、撮影者が予め任意の数を設定できるようになっている。例えば、１つ当たりのタグ情報の情報量が多い場合には上限数を小さく設定し、１つ当たりのタグ情報の情報量が少ない場合には上限数を大きく設定することができる。
【００２８】
この特定のタグ情報２１ｂと画像とが関連付けられている状態で、ステップ１２において、決定キー１８ｅが押圧されると、ＣＰＵ１７は、撮像された対象物２０の画像情報、例えば、ＪＰＥＧ（Ｊｏｉｎｔ  Ｐｈｏｔｏｇｒａｐｈｉｃ  Ｅｘｐｅｒｔｓ  Ｇｒｏｕｐ）形式の画像データに、選択されたタグ情報２０ｂをＥｘｉｆ（Ｅｘｃｈａｎｇｅａｂｌｅ  Ｉｍａｇｅ  Ｆｉｌｅ  Ｆｏｒｍａｔ）形式のファイルを付加することにより画像ファイルを作成する（ステップ１３）。なお、Ｅｘｉｆ形式とは、ＪＥＩＤＡ（日本電子工業振興協会）によって策定された画像ファイル形式であり、ＪＰＥＧ形式の画像データ内に、サムネイル画像や撮影情報等のデータを埋め込むことができるようにしたものである。
【００２９】
しかし、本実施形態では、対象物は対象物２０（りんご）であり、カーソルが存在する最上部のタグ情報２１ｂ（フィリピン産バナナ）と対応していない。この場合、ステップ１２において決定ボタン１８ｅが押圧されずに（ステップ１２，Ｎｏ）、選択キー１８ｃが押圧される（ステップ１３）。そうすると、選択キー１８ｃの方向(図２において下）にカーソルが移動し、タグ情報２０ｂ（青森産りんご）の色が反転点滅する（ステップ１４）。
【００３０】
そして、タグ情報２０ｂ（青森産りんご）の色が反転点滅している状態でステップ１２に戻る。ステップ１２で決定キー１８ｅが押圧されると、図２に示す画像とタグ情報２０ｂ（青森産りんご）とが関連付けられて記憶され（ステップ１５）、ＣＰＵ１７は、制御動作を終了する。
【００３１】
なお、Ｓ１０において、ＣＰＵ１７は、タグ情報記録モードでないと判断した場合（ステップ１０，Ｎｏ）、タグ情報を表示部１２に表示せず、撮影画像のみが表示部１２に表示される（ステップ１６）。そしてこの場合は、決定ボタン１８ｅの押下にかかわらず、撮像された対象物２０の画像のみの画像ファイルが作成され（ステップ１５）、ＣＰＵ１７は、制御動作を終了する。
【００３２】
以上、本実施形態によると、以下の効果を有する。
（１）本実施形態のカメラ１０によると、撮影者の選択操作に基づいて適切なタグ情報２０ｂを選択することができ、対象物２０のタグ情報２０ｂと撮像画像の画像情報とを簡便かつ正確に対応付けて記録することができる。
（２）このカメラ１０において、ＣＰＵ１７は、タグ情報取得部１５で取得されたタグ情報２０ｂ，２１ｂ，２２ｂを、対象物２０と対応している可能性の高いものから優先的に表示部１２に表示することができるので、撮影者は、対象物２０と対応している可能性の高いタグ情報を容易に判断することができ、タグ情報を選択し易くすることができる。
（３）また、対象物２０の画像情報に付加されるタグ情報２０ｂは、Ｅｘｉｆ形式のファイルであるので、汎用性の高いファイル形式でタグ情報２０ｂを容易に管理し、利用することができる。
【００３３】
（変形形態）
以上、説明した実施形態に限定されることなく、以下に示すような種々の変形や変更が可能であり、それらも本発明の範囲内である。
（１）本実施形態では、タグ情報２０ｂ，２１ｂ，２２ｂの信号強度が強いほど、対象物２０に対応する可能性が高いものであると判定し、表示部１２に優先的に表示する。しかし、これに限らず、信号強度以外の指標を用いて優先順位を決めてもよい。
（２）また、本実施形態では、対象物２０が表示されている表示部１２の右側に、タグ情報２０ｂ，２１ｂ，２２ｂを表示している。しかし、これに限らず、表示部１２における対象物２０及び非対象物２１，２２のそれぞれの近傍にそれぞれのタグ情報２０ｂ，２１ｂ，２２ｂを表示してもよい。
（３）また、表示部１２に表示されるタグ情報が更に多数（４つ以上）の場合に、選択部１８の操作によってタグ情報をスクロールしたり、複数の表示ウィンドウを改ページしたりして選択できるように構成してもよい。
（４）また、本実施形態では、選択部１８として十字キーを用いている。しかし、これに限らず、例えば、表示部１２がタッチ入力可能に構成されている場合には、表示画面に表示された操作メニューや任意のタグ情報に触れることによって選択／決定操作を行うことができるようにしてもよい。
（５）また、タグ情報の内容や量は、対象物２０によって様々であり、本実施形態では、その全ての情報を表示部１２に表示し、記録部１３に記録することができる。しかし、これに限らず、必要な情報のみを選択して表示したり、記録したりすることができるように構成してもよい。
（６）また、本実施形態では、対象物２０の撮影画像の画像情報に付加されるタグ情報２０ｂは、Ｅｘｉｆ形式のファイルとしている。しかし、これに限らず、他の様々な形式のファイルで付加するように構成してもよい。
（７）本実施形態では、本発明に係る撮像装置を電子カメラに適用する例について説明した。しかし、これに限られず、例えば、ビデオカメラや携帯電話機に付属のカメラ等に本発明に係る撮像装置を適用してもよい。
（８）また、本実施形態に係るカメラ１０を携帯電話機等の通信機能を有する機器に適用した場合や、カメラ１０が外部ネットワークと通信可能に構成されている場合等には、通信機能を用いることにより、Ｅｘｉｆ形式のファイル中に記録されているＵＲＬ等にアクセスし、対象物に係る商品を購入するというような利用の仕方も考えられる。
なお、実施形態及び変形形態は、適宜組み合わせて用いることもできるが、詳細な説明は省略する。また、本発明は以上説明した実施形態によって限定されることはない。
【符号の説明】
【００３４】
１０：カメラ、１１：撮像部、１２：表示部、１３：記録部、１４：操作部、１５：タグ情報取得部、１６：タグ情報解読部、１７：ＣＰＵ、１８：選択部、２０：対象物、２０ａ：ＩＣタグ、２０ｂ：タグ情報、２１：非対象物、２１ａ：ＩＣタグ、２１ｂ：タグ情報、２２：非対象物、２２ａ：ＩＣタグ、２２ｂ：タグ情報
【図１】
2010193172.tif 000003
【図２】
2010193172.tif 000004
【図３】
2010193172.tif 000005